(57)【要約】【課題】本発明が解決しようとする課題は、連続的に発生する操作イベントの情報を、他の装置へ送信しても他の装置が効率よく処理することができる通信装置およびその情報送信方法を提供することを目的とする。【解決手段】操作イベントごとに割り当てられたイベント識別情報を送信する手段を有する内線電話機２と、イベント識別情報を受信すると、操作イベントが発生したものとして、他の装置へイベント識別情報を送信する手段を有する交換機３とを備えた通信装置において、交換機３は、所定時間に発生した同じ操作イベントの回数を計数する計数手段と、この計数手段に計数された同じ操作イベントの回数に応じて割り当てられたイベント識別情報をボタンＩＤとして端末装置４へ送信する手段とを備えた。【選択図】図１
2006100956.tif 000002
【特許請求の範囲】
【請求項１】
操作イベントごとに割り当てられたイベント識別情報を他の装置へ送信する手段を有する通信装置において、
所定時間の間に発生した同じ操作イベントの回数を計数する計数手段と、
前記計数手段に計数された前記同じ操作イベントの回数に応じて割り当てられたイベント識別情報を他の装置へ送信する手段とを備えたことを特徴とする通信装置。
【請求項２】
操作イベントごとに割り当てられたイベント識別情報を送信する手段を有する内線電話機と、前記イベント識別情報を受信すると、操作イベントが発生したものとして、他の装置へ前記イベント識別情報を送信する手段を有する交換機とを備えた通信装置において、
前記交換機は、所定時間の間に発生した同じ操作イベントの回数を計数する計数手段と、前記計数手段に計数された前記同じ操作イベントの回数に応じて割り当てられたイベント識別情報を他の装置へ送信する手段とを備えたことを特徴とする通信装置。
【請求項３】
前記所定時間となる前に、前記同じ操作イベントが所定回数発生したか否かを検出する判定手段と、
前記判定手段により前記同じ操作イベントが所定回数発生したことが検出されると、前記所定回数に対応するイベント識別情報を他の装置へ送信する手段とを備えたことを特徴とする請求項１または２記載の通信装置。
【請求項４】
前記所定時間の時間長を調整可能とする調整手段を備えたことを特徴とする請求項１から３のいずれかの項に記載の通信装置。
【請求項５】
操作イベントごとに割り当てられたイベント識別情報を他の装置へ送信する通信装置の情報通信方法において、
所定時間の間に発生した同じ操作イベントの回数を計数し、
前記回数に応じて割り当てられたイベント識別情報を他の装置へ送信することを特徴とする通信装置の情報送信方法。
【請求項６】
操作イベントごとに割り当てられたイベント識別情報を送信する内線電話機と、前記イベント識別情報を受信すると、操作イベントが発生したものとして、他の装置へ前記イベント識別情報を送信する交換機とを備えた通信装置の情報送信方法において、
前記交換機が、所定時間の間に発生した同じ操作イベントの回数を計数し、
前記回数に応じて割り当てたイベント識別情報を他の装置へ送信することを特徴とする通信装置の情報送信方法。
【請求項７】
前記所定時間となる前に、前記同じ操作イベントが所定回数発生したときに、前記所定回数に対応するイベント識別情報を他の装置へ送信することを特徴とする請求項５または６記載の通信装置の情報送信方法。
【発明の詳細な説明】
【技術分野】
【０００１】
本発明は、操作イベントごとに割り当てられたイベント識別情報を他の装置へ送信する通信装置およびその情報送信方法に関する。
【背景技術】
【０００２】
通信装置の一つとして、複数の内線電話機を収容する交換機がある。この交換機に接続して、内線電話機からの情報を交換機経由でモニタしたり、交換機へ電話帳情報などを送信して発信したりするＣＴＩ（Computer Telephony Integration）サーバと呼ばれる端末装置がある。
【０００３】
例えば、操作者が内線電話機の操作ボタンを操作して発信先番号を入力すると、内線電話機は、番号ボタンの１つが押下される操作イベントが発生する度に、操作された操作ボタンに対応したイベント識別情報を交換機へ送信する。そして交換機はその識別情報をＣＴＩサーバへ送信して、ＣＴＩサーバ側でモニタしたり、様々な処理を行ったりする。
【０００４】
イベント識別情報は、全ての操作ボタンに対応して割り当てられている。また、ジョグダイアルや、トラックボールなどの回動操作手段のように操作が連続的に行えるものも、状態の変化が所定量となるごとに１回の操作イベントとして、その操作イベントに対応したイベント識別情報が交換機へ送信される。例えば回動操作手段の場合では、設定にもよるが１５°右回りまたは左回りの回転操作が、１回の操作イベントに相当している。このような回動操作手段を有する電話機が（特許文献１）に記載されている（特許文献１では、指操作回転手段と表現されている）。
【特許文献１】特開平６−８５７２９号公報
【発明の開示】
【発明が解決しようとする課題】
【０００５】
交換機は、複数の内線電話機を収容しており、それぞれの発信動作や、着信動作などを同時に行う必要があるので処理性能は高い。しかし、ＣＴＩサーバは、汎用のパーソナルコンピュータなどが使用されることが多く、インストールされるアプリケーションソフトにより、その機能を持たせたものである。
【０００６】
従って、交換機が収容する全ての内線電話機で、それぞれに設けられた回動操作手段やトラックボールを短時間のうちに同時に何周も回転させると、回転角度に応じた数だけのイベント識別情報が全内線電話機の台数分ほど交換機へ送信される。そうなると、その全てのイベント識別情報がＣＴＩサーバ側へ送られることになるので、ＣＴＩサーバと交換機との間で、トラフィック量が増大し、ＣＴＩサーバ側で処理しきれなくなる。
【０００７】
そこで、本発明は、連続的に発生する操作イベントの情報を、他の装置へ送信しても他の装置が効率よく処理することができる通信装置およびその情報送信方法を提供することを目的とする。
【課題を解決するための手段】
【０００８】
本発明の通信装置は、操作イベントごとに割り当てられたイベント識別情報を他の装置へ送信する手段を有する通信装置において、所定時間の間に発生した同じ操作イベントの回数を計数する計数手段と、前記計数手段に計数された前記同じ操作イベントの回数に応じて割り当てられたイベント識別情報を他の装置へ送信する手段とを備えたことを特徴とする。
【０００９】
また、本発明の通信装置は、操作イベントごとに割り当てられたイベント識別情報を送信する手段を有する内線電話機と、前記イベント識別情報を受信すると、操作イベントが発生したものとして、他の装置へ前記イベント識別情報を送信する手段を有する交換機とを備えた通信装置において、前記交換機は、所定時間の間に発生した同じ操作イベントの回数を計数する計数手段と、前記計数手段に計数された前記同じ操作イベントの回数に応じて割り当てられたイベント識別情報を他の装置へ送信する手段とを備えたことを特徴とする。
【発明の効果】
【００１０】
本発明の通信装置によれば、連続的に発生する操作イベントを、他の装置へ送信しても操作イベントの発生回数に応じたトラフィック量となることがなく、他の装置が効率よく処理することができる。
【発明を実施するための最良の形態】
【００１１】
本願の第１の発明は、操作イベントごとに割り当てられたイベント識別情報を他の装置へ送信する手段を有する通信装置において、所定時間の間に発生した同じ操作イベントの回数を計数する計数手段と、計数手段に計数された同じ操作イベントの回数に応じて割り当てられたイベント識別情報を他の装置へ送信する手段を備えたことを特徴としたものである。
【００１２】
連続的に発生した同じ操作イベントの発生回数を計数し、計数した回数に応じて割り当てられたイベント識別情報を他の装置へ送信するので、操作イベントが１回発生したときと同じ情報量が他の装置へ送信される。従って、操作イベントの発生回数に応じたトラフィック量となることがないので、他の装置が効率よく処理することができる。
【００１３】
本願の第２の発明は、操作イベントごとに割り当てられたイベント識別情報を送信する手段を有する内線電話機と、イベント識別情報を受信すると、操作イベントが発生したものとして、他の装置へイベント識別情報を送信する手段を有する交換機とを備えた通信装置において、交換機は、所定時間の間に発生した同じ操作イベントの回数を計数する計数手段と、計数手段に計数された同じ操作イベントの回数に応じて割り当てられたイベント識別情報を他の装置へ送信する手段とを備えたことを特徴としたものである。
【００１４】
内線電話機から送信された連続的に発生した同じ操作イベントを、交換機にてこの操作イベントの発生回数を計数し、計数した回数に応じて割り当てられたイベント識別情報を他の装置へ送信するので、操作イベントが１回発生したときと同じ情報量が他の装置へ送信される。従って、操作イベントの発生回数に応じたトラフィック量となることがないので、他の装置が効率よく処理することができる。
【００１５】
本願の第３の発明は、所定時間となる前に、同じ操作イベントが所定回数発生したか否かを検出する判定手段と、判定手段により同じ操作イベントが所定回数発生したことが検出されると、所定回数に対応するイベント識別情報を他の装置へ送信する手段とを備えたことを特徴としたものである。
【００１６】
判定手段が、所定時間となる前に、同じ操作イベントが所定回数発生したか否かを検出するので、同じ操作イベントの発生が多い場合には、その発生を早く通知することができる。したがって、その操作イベントに対する応答がある場合には、その応答を早く受け取ることができる。
【００１７】
本願の第４の発明は、所定時間の時間長を調整可能とする調整手段を備えたことを特徴
したものである。調整手段が、同じ操作イベントが発生した回数を計数する時間を調整するので、操作イベントが発生する頻度に応じて調整することが可能である。
【００１８】
本願の第５の発明は、操作イベントごとに割り当てられたイベント識別情報を他の装置へ送信する通信装置の情報通信方法において、所定時間の間に発生した同じ操作イベントの回数を計数し、回数に応じて割り当てられたイベント識別情報を他の装置へ送信することを特徴としたものである。
【００１９】
連続的に発生した同じ操作イベントの発生回数を計数し、計数した回数に応じて割り当てられたイベント識別情報を他の装置へ送信するので、操作イベントが１回発生したときと同じ情報量が他の装置へ送信される。従って、操作イベントの発生回数に応じたトラフィック量となることがないので、他の装置が効率よく処理することができる。
【００２０】
本願の第６の発明は、操作イベントごとに割り当てられたイベント識別情報を送信する内線電話機と、イベント識別情報を受信すると、操作イベントが発生したものとして、他の装置へイベント識別情報を送信する交換機とを備えた通信装置の情報送信方法において、交換機が、所定時間の間に発生した同じ操作イベントの回数を計数し、回数に応じて割り当てたイベント識別情報を他の装置へ送信することを特徴としたものである。
【００２１】
内線電話機から送信された連続的に発生した同じ操作イベントを、交換機にてこの操作イベントの発生回数を計数し、計数した回数に応じて割り当てられたイベント識別情報を他の装置へ送信するので、操作イベントが１回発生したときと同じ情報量が他の装置へ送信される。従って、操作イベントの発生回数に応じたトラフィック量となることがないので、他の装置が効率よく処理することができる。
【００２２】
本願の第７の発明は、所定時間となる前に、同じ操作イベントが所定回数発生したときに、所定回数に対応するイベント識別情報を他の装置へ送信することを特徴としたものである。所定時間となる前に、同じ操作イベントが所定回数発生したか否かを検出するので、同じ操作イベントの発生が多い場合には、その発生を早く通知することができる。したがって、その操作イベントに対する応答がある場合には、その応答を早く受け取ることができる。
【００２３】
（実施の形態）
本発明の実施の形態に係る通信装置を、交換機を例に図に基づいて説明する。図１は、本発明の実施の形態に係る通信装置を説明する交換機システムの概略図である。図２は本発明の実施の形態に係る内線電話機の構成を説明する図である。図３は、本発明の実施の形態に係る交換機の構成を説明する図である。図４は、本発明の実施の形態に係る端末装置の構成を説明する図である。図５は、内線電話機の操作部を説明する図である。図６は内線電話機の操作イベントであるボタンＩＤの一覧表を示す図である。図７は、操作イベントの発生回数に応じたイベント識別情報が含まれるボタンＩＤの一覧表を示す図である。
【００２４】
図１に示すように交換機システム１は、通信装置の一つである交換機３に内線電話機２（２ａ，２ｂ，２ｃ）が接続されている。また交換機３にはＣＴＩサーバである端末装置４が接続されている。この内線電話機２と、交換機３と、端末装置４とで構内交換機システムとして機能している。
【００２５】
図２に示すように、内線電話機２は、交換機３と接続する内線インタフェース部２１と、受話器であるハンドセット２２と、スピーカ２３と、マイク２４と、音声データの接続を行うスイッチ２５と、操作部２６と、表示部２７と、設定などを格納する記憶部２８と
、それらを制御する制御部２９とを備えている。
【００２６】
内線インタフェース部２１は、交換機３と内線電話線で接続され、６４Ｋｂｐｓの伝送速度を持ち２Ｂ＋Ｄで通信する。スイッチ２５は、内線インタフェース部２１、ハンドセット２２，スピーカ２３、マイク２４からの音声データを接続の切り替えにより流れる方向を変えるスイッチである。
【００２７】
操作部２６は、発信先電話番号を入力するときに使用するダイアルキーや、転送やピックアップの際に使用する機能キーや、表示部２７に表示されたメニューを選択するときに使用される回動操作手段のように操作者が操作する入力手段である。この操作部２６は数字キーまたは機能キーであれば押下された状態が、回動操作手段であれば回転された状態が、制御部２９により監視されている。
【００２８】
表示部２７は、制御部２９により制御される表示手段であり、例えば液晶表示パネルなどが使用できる。
【００２９】
制御部２９は、内線電話機２全体を統括制御する。制御部２９は、上述したように操作部２６で操作された数字キー、機能キーまたは回動操作手段の状態を監視し、その押下または回転された状態に応じてイベント識別情報を内線インタフェース部２１を介して交換機３へ送信する。本実施の形態の内線電話機２は、操作部２６の回動操作手段を１５°左右のいずれかに回すごとに１回の操作イベントを発生するものとする。ここで、このイベント識別情報について図５および図６に基づいて説明する。
【００３０】
図５に示すように内線電話機２の数字キーである「１」を押下すると、制御部２９は、「１」に対応したイベント識別情報であるボタンＩＤ「１」（図６参照）を含むメッセージを交換機３へ送信する。つまり、ダイアルキー「０」〜「＃」である場合は、ボタンＩＤ「０」〜「１１」を送信する。また回動操作手段を右に１５°回転させると、ボタンＩＤ「１９」が交換機３へ送信されることで、操作者が操作した内容を交換機３へ通知している。
【００３１】
次に、本発明の実施の形態に係る通信装置である交換機３の構成について図３に基づいて説明する。図３に示すように、交換機３は、内線電話機２と接続する内線インタフェース部３１と、加入者電話網や専用線と接続する外線インタフェース部３２と、外線と内線または内線同士の通話路となるスイッチ３３と、ＵＳＢ（Universal Serial Bus）インタフェース部３４と、ＬＡＮインタフェース部３５と、内線電話機２の内線番号や発信者情報などを記憶する記憶部３６と、それらを制御する制御部３７とを備えている。
【００３２】
内線インタフェース部３１は、上述したように内線電話機２と内線電話線で接続され、６４Ｋｂｐｓの伝送速度を持ち２Ｂ＋Ｄで通信する。
【００３３】
ＵＳＢインタフェース部３４と、ＬＡＮインタフェース部３５とは、端末装置４に接続するインタフェースでＣＴＩ  ＬＩＮＫで接続される。このインタフェースは、端末装置４と通信可能なものであれば、シリアル通信またはパラレル通信にかかわらずどのようなインタフェースでも使用することができるが、交換機３が収容する内線電話機２の全ての情報がＣＴＩサーバである端末装置４へ送信されるので、高速な伝送が可能なインタフェースが望ましい。本実施の形態では、ＵＳＢとＬＡＮとの２つインタフェースを交換機３は備え、端末装置４の接続条件に応じて適宜、ＵＳＢインタフェース部３４と、ＬＡＮインタフェース部３５とのいずれかで端末装置４と接続するかを決めることができる。
【００３４】
記憶部３６は、交換機３が収容する内線電話機２の内線番号や、着信グループや、ピッ
クアップグループなどを記憶する記憶手段である。また記憶部３６は、連続的に発生した同じ操作イベントの発生回数に応じて割り当てられたイベント識別情報を記憶している。ここで、交換機３の記憶部３６に格納されているイベント識別情報について、図７に基づいて詳細に説明する。
【００３５】
内線電話機２の操作部２６のダイアルキー「０」〜「＃」や、機能キー「Ｓｏｆｔ  Ｋｅｙ１」などは、交換機３も内線電話機２も同じボタンＩＤが格納されている。更に、連続的に発生した同じ操作イベントの発生回数に応じて割り当てられたイベント識別情報、例えば、操作部２６の回動操作手段を右回しに９０°回したことに対応してボタンＩＤ「２４」などが格納されている。
【００３６】
制御部３７は、所定時間の間に発生した同じ操作イベントが内線電話機２から送信された回数を計数し、この計数された同じ操作イベントの回数に応じて割り当てられたイベント識別情報を端末装置４へ送信する機能を有している。また制御部３７は、この所定時間を測定する手段を有しているが、制御部３７とは別にタイマを設けてもよい。また、所定時間となる前に、同じ操作イベントが所定回数発生したか否かを検出し、検出されると端末装置４へ、所定回数に対応するイベント識別情報を端末装置４へ送信する機能も有している。本実施の形態では、同じ操作イベントの回数を計数する所定時間として５００ｍｓ間隔としているが、操作イベントの発生頻度またはシステム環境に応じて記憶部３６に格納された設定で調整することが可能である。
【００３７】
次に、本発明の実施の形態に係る交換機システム１に用いられる端末装置４の構成について図４に基づいて説明する。図４に示すように、端末装置４は、キーボードやマウスなどのキー入力部４１と、液晶表示パネルやＣＲＴ（Cathode Ray Tube）などの表示部４２と、イヤホンとマイクがセットになったヘッドセットなどの音声入出力部４３と、記憶部４４と、ＵＳＢインタフェース部４５と、ＬＡＮインタフェース部４６と、これらを制御する制御部４７とを備えている。
【００３８】
ＵＳＢインタフェース部４５と、ＬＡＮインタフェース部４６は、交換機３のＵＳＢインタフェース部３４またはＬＡＮインタフェース部３５とを接続するインタフェースである。制御部４７は、交換機３から送信されるイベント識別情報であるボタンＩＤを受信して、そのボタンＩＤに応じた処理を行う。この端末装置４は、汎用的なパーソナルコンピュータにＣＴＩサーバとしての機能を有するアプリケーションを実行させたものが使用できるが、ＣＴＩサーバ専用機を用いてもよい。
【００３９】
以上のように構成される本発明の実施の形態に係る通信装置の一例である交換機３と、この交換機３に収容される内線電話機２と、交換機３に接続されるＣＴＩサーバである端末装置４の動作を図８から図１０に基づいて説明する。
【００４０】
図８は、本発明の実施の形態に係る通信装置の一例である交換機３に収容される内線電話機２の動作を説明するフローチャートである。図９は、本発明の実施の形態に係る通信装置の一例である交換機３の動作を説明するフローチャートである。図１０は、本発明の実施の形態に係る交換機３に接続されるＣＴＩサーバである端末装置４の動作を説明するフローチャートである。
【００４１】
まず、内線電話機２の動作を図８に基づいて説明する。図８に示すように、操作者が内線電話機２に備えられた操作部２６の回動操作手段を右回しに回す（Ｓ１０）。内線電話機２の制御部２９は、操作部２６の回動操作手段が右回しに１５°回ったことで１カウント分の操作イベントが発生したと判断する。そして制御部２９は、記憶部２８からイベント識別情報であるボタンＩＤ「１９」を読み出して、交換機３へ送信するためのイベント
識別情報を含むメッセージを作成する（Ｓ２０）。制御部２９は、このメッセージを交換機３へ内線インタフェース部２１を経由して送信する（Ｓ３０）。
【００４２】
次に、交換機３の動作を図９に基づいて説明する。内線電話機２から回動操作手段を右回しに１カウント分回した旨の通知であるメッセージを、内線インタフェース部３１を経由して制御部３７が受信する（Ｓ１００）。制御部３７は、受信したメッセージに含まれるイベント識別情報により、同じ操作イベントが所定回数となったか否かを判定する（Ｓ１１０）。Ｓ１１０にて、同じ操作イベントが所定回数発生していない場合は、前回の基準時刻から所定時間経過しているか否かを判定する（Ｓ１２０）。Ｓ１２０にて所定時間経過していない場合は、操作イベント発生回数を１回増加して終了し、次の同じ操作イベントの発生を示すイベント識別情報を含むメッセージ待ちとなる（Ｓ１３０）。
【００４３】
Ｓ１１０にて、同じ操作イベントが所定回数発生している場合は、その回数に対応するイベント識別情報を端末装置４へ送信する。例えば、所定回数を６回とすると、回動操作手段右回し６カウントとしたボタンＩＤ「２４」を端末装置４へ送信する（Ｓ１４０）。そして、操作イベントの発生回数を０として初期化する（Ｓ１５０）。
【００４４】
Ｓ１２０にて、前回の基準時刻から所定時間経過していると判定された場合は、前回の操作イベント発生回数を１回増加させる（Ｓ１６０）。そして１回増加させた操作イベント発生回数に応じたボタンＩＤを検索する。例えば、基準時刻から５００ｍｓとすると、その時までに回動操作手段を４回分ほど右回しした場合には、ボタンＩＤは「２２」となる（Ｓ１７０）。そして、このボタンＩＤ「２２」を含むメッセージを端末装置４へ送信する（Ｓ１８０）。そしてＳ１５０にて操作イベントの発生回数を０として初期化する。
【００４５】
次に、端末装置４の動作を図１０に基づいて説明する。まず、交換機３からボタンＩＤ「２４」を含むメッセージを受信する（Ｓ２００）。そして回動操作手段についての操作イベントか否かをボタンＩＤから判定する（Ｓ２１０）。回動操作手段でなく、例えばダイアルキーまたは機能キーである場合には、この処理を終了し、そのダイアルキーまたは機能キーに応じた処理を行う（Ｓ２２０）。Ｓ２１０にて、回動操作手段についてのメッセージであると判定された場合には、ボタンＩＤから何回カウントされた操作イベントであるかを算出する（Ｓ２３０）。ボタンＩＤが「２４」である場合には、右回しに６回であるので、６回を算出し、この処理を終了する。そして回動操作手段が右回し６カウント分回されたことに応じた処理を行う（Ｓ２２０）。
【００４６】
このように内線電話機２、交換機３および端末装置４との間でのデータの流れを図１１に基づいて説明する。図１１は、内線電話機２、交換機３および端末装置４との間でのデータの流れを説明するシーケンスチャートである。図１１に示すように、端末装置４は、ＣＴＩ制御要求として端末装置４の記憶部４４に格納されている電話帳情報を内線電話機２へ表示する旨のメッセージを交換機３へ送信する（Ｓ３００）。
【００４７】
交換機３は、端末装置４からＣＴＩ制御要求を受信すると内線電話機２へ送信する（Ｓ３１０）。
【００４８】
内線電話機２の表示部２７に表示された電話帳情報に基づいて操作者は、操作部２６の回動操作手段を回転させ、発信先の選択を行う。ここでは、操作者が表示された電話帳情報の７段目の電話番号に発信するために、回動操作手段を操作するものとし、回動操作手段の操作開始後操作終了することにより発信を開始する機能を有するものとする。
【００４９】
内線電話機２の操作者が、回動操作手段を右回しに回し始めると、所定角度、例えば１５°ごとに交換機３へボタンＩＤ「１９」としてメッセージが交換機３へ内線電話機２か
ら交換機３へ送信される（Ｓ３２０）。
【００５０】
交換機３では所定時間、例えば５００ｍｓごとにこの同じ操作イベントを示すメッセージが受信されたかを判定する。図１１に示される場合には４回受信しているので、操作イベントが４カウント分発生したことを示すボタンＩＤ「２２」を端末装置４へ送信する（Ｓ３３０）。
【００５１】
更にもう３回のメッセージを交換機３が受信すると、ボタンＩＤ「２１」としたメッセージを端末装置４へ送信する（Ｓ３４０）。端末装置４は、この３回のメッセージを受信すると、前回の４カウント分と今回の３カウント分の和である７カウント分の回動操作手段の右回りの回転が発生したと判定して発信先を決定する（Ｓ３５０）。
【００５２】
端末装置４は、決定した発信先の電話番号を交換機３へ発信要求として通知する（Ｓ３６０）。そして交換機３は、端末装置４から受信した発信要求の電話番号（電話帳情報の７番目の電話番号）に基づいて発信の処理をする（Ｓ３７０）。
【００５３】
連続的に発生した操作イベントの回数を計数することでトラフィック量を減らす方法として、計数した回数の情報を、イベント識別情報の付加情報として追加して送信することが考えられる。しかしこの方法では、操作イベント発生回数分のメッセージの送受信は不要としても、イベント識別情報に、回数を示す付加情報が情報量としては増加してしまう。
【００５４】
本発明の実施の形態によれば、連続的に発生した同じ操作イベントの発生回数を計数し、計数した回数に応じて割り当てられたイベント識別情報を他の装置へ送信するので、操作イベントが１回発生したときと同じ情報量でＣＴＩサーバとして端末装置４へ送信することができる。
【００５５】
なお、本実施の形態では、交換機３が端末装置４へ送信する通信において、計数した回数に応じて割り当てられたイベント識別情報の送信を行うこととしたが、内線電話機２から交換機３への通信においても適用が可能である。つまり、ジョイステック、トラックボール、マウスや、キーのリピート機能など、連続的に発生する操作イベントを他の装置へ通知する通信装置においては、本発明の情報送信方法を適用することで、トラフィック量の削減を行うことが可能である。
【産業上の利用可能性】
【００５６】
本発明は、連続的に発生する操作イベントの情報を、他の装置へ送信しても他の装置が効率よく処理することができるので、操作イベントごとに割り当てられたイベント識別情報を他の装置へ送信する通信装置およびその情報送信方法に好適である。
【図面の簡単な説明】
【００５７】
【図１】本発明の実施の形態に係る通信装置を説明する交換機システムの概略図
【図２】本発明の実施の形態に係る内線電話機の構成を説明する図
【図３】本発明の実施の形態に係る交換機の構成を説明する図
【図４】本発明の実施の形態に係る端末装置の構成を説明する図
【図５】内線電話機の操作部を説明する図
【図６】内線電話機の操作イベントであるボタンＩＤの一覧表を示す図
【図７】操作イベントの発生回数に応じたイベント識別情報が含まれるボタンＩＤの一覧表を示す図
【図８】本発明の実施の形態に係る通信装置の一例である交換機に収容される内線電話機の動作を説明するフローチャート
【図９】本発明の実施の形態に係る通信装置の一例である交換機の動作を説明するフローチャート
【図１０】本発明の実施の形態に係る交換機に接続されるＣＴＩサーバである端末装置の動作を説明するフローチャート
【図１１】内線電話機、交換機および端末装置との間でのデータの流れを説明するシーケンスチャート
【符号の説明】
【００５８】
１    交換機システム
２    内線電話機
２１    内線インタフェース部
２２    ハンドセット
２３    スピーカ
２４    マイク
２５    スイッチ
２６    操作部
２７    表示部
２８    記憶部
２９    制御部
３    交換機
３１    内線インタフェース部
３２    外線インタフェース部
３３    スイッチ
３４    ＵＳＢインタフェース部
３５    ＬＡＮインタフェース部
３６    記憶部
３７    制御部
４    端末装置
４１    キー入力部
４２    表示部
４３    音声入出力部
４４    記憶部
４５    ＵＳＢインタフェース部
４６    ＬＡＮインタフェース部
４７    制御部
【図１】
2006100956.tif 000003
【図２】
2006100956.tif 000004
【図３】
2006100956.tif 000005
【図４】
2006100956.tif 000006
【図５】
2006100956.tif 000007
【図６】
2006100956.tif 000008
【図７】
2006100956.tif 000009
【図８】
2006100956.tif 000010
【図９】
2006100956.tif 000011
【図１０】
2006100956.tif 000012
【図１１】
2006100956.tif 000013